(57)【要約】  本開示のユーザ端末は、一以上の制御リソースセットにそれぞれ対応する一以上のフィールドを含むＭＡＣMedium  Access  Control）制御要素を受信する受信部と、前記フィールドが示す前記制御リソースセットの送信構成指標（ＴＣＩ）の状態に基づいて、前記制御リソースセット内の所定のリソース単位にマッピングされる下り制御チャネルの受信を制御する制御部と、を具備する。
2019138527.tif 000002
【特許請求の範囲】
【請求項１】
一以上の制御リソースセットにそれぞれ対応する一以上のフィールドを含むＭＡＣ（Medium  Access  Control）制御要素を受信する受信部と、
前記フィールドが示す前記制御リソースセットの送信構成指標（ＴＣＩ）の状態に基づいて、前記制御リソースセット内の所定のリソース単位にマッピングされる下り制御チャネルの受信を制御する制御部と、
を具備することを特徴とするユーザ端末。
【請求項２】
前記ＴＣＩの状態は、前記下り制御チャネル又は前記下り制御チャネルの復調用参照信号のアンテナポートと、下り参照信号との疑似コロケーション（ＱＣＬ）に関する情報を示すことを特徴とする請求項１に記載のユーザ端末。
【請求項３】
前記ＭＡＣ制御要素内の前記フィールドの数は、前記ユーザ端末に対して設定された一以上の部分帯域内の前記制御リソースセットの総数、又は、前記設定された一以上の部分帯域のうちでアクティブ化された部分帯域内の前記制御リソースセットの総数に基づいて決定されることを特徴とする請求項１又は請求項２に記載のユーザ端末。
【請求項４】
前記ＭＡＣ制御要素は、どの制御リソースセットのＴＣＩの状態が前記ＭＡＣ制御要素内で指定されるかを示す特定のフィールドを含み、
前記ＭＡＣ制御要素内の前記フィールドの数は、前記特定のフィールドが示す前記制御リソースセットの数に基づいて決定されることを特徴とする請求項１又は請求項２に記載のユーザ端末。
【請求項５】
前記ＭＡＣ制御要素は、どの部分帯域内の制御リソースセットのＴＣＩの状態が前記ＭＡＣ制御要素内で指定されるかを示す特定のフィールドを含み、
前記ＭＡＣ制御要素内の前記フィールドの数は、前記特定のフィールドが示す前記部分帯域に関連付けられる前記制御リソースセットの数に基づいて決定されることを特徴とする請求項１又は請求項２に記載のユーザ端末。
【請求項６】
ユーザ端末において、
一以上の制御リソースセットにそれぞれ対応する一以上のフィールドを含むＭＡＣMedium  Access  Control）制御要素を受信する工程と、
前記フィールドが示す前記制御リソースセットの送信構成指標（ＴＣＩ）の状態に基づいて、前記制御リソースセット内の所定のリソース単位にマッピングされる下り制御チャネルの受信を制御する工程と、
を有することを特徴とする無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延等を目的としてロングタームエボリューション（ＬＴＥ：Long  Term  Evolution）が仕様化された（非特許文献１）。また、ＬＴＥ（ＬＴＥ  Ｒｅｌ．８又は９ともいう）からの更なる広帯域化及び高速化を目的として、ＬＴＥ−Ａ（ＬＴＥアドバンスト、ＬＴＥ  Ｒｅｌ．１０、１１又は１２ともいう）が仕様化され、ＬＴＥの後継システム（例えば、ＦＲＡ（Future  Radio  Access）、５Ｇ（5th  generation  mobile  communication  system）、ＮＲ（New  Radio）、ＮＸ（New  radio  access）、ＦＸ（Future  generation  radio  access）、ＬＴＥ  Ｒｅｌ．１３、１４又は１５以降等ともいう）も検討されている。【０００３】
既存のＬＴＥシステム（例えば、ＬＴＥ  Ｒｅｌ．８−１３）では、ユーザ端末（ＵＥ：User  Equipment）は、無線基地局からの下り制御情報（ＤＣＩ：Downlink  Control  Information、ＤＬアサインメント等ともいう）に基づいて、下り共有チャネル（例えば、ＰＤＳＣＨ：Physical  Downlink  Shared  Channel）の受信を制御する。また、ユーザ端末は、ＤＣＩ（ＵＬグラント等ともいう）に基づいて、上り共有チャネル（例えば、ＰＵＳＣＨ：Physical  Uplink  Shared  Channel）の送信を制御する。
【先行技術文献】
【非特許文献】
【０００４】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００５】
将来の無線通信システム（例えば、ＮＲ、５Ｇ、５Ｇ＋又はＲｅｌ．１５以降）では、ビームフォーミング（ＢＦ：Beam  Forming）を利用して通信を行うことが検討されている。ＢＦを利用した通信品質を向上するために、複数の信号間の疑似コロケーション（ＱＣＬ：Quasi-Co-Location）の関係（ＱＣＬ関係）を考慮して信号の送信及び受信の少なくとも一つを制御することが検討されている。【０００６】
また、上記将来の無線通信システムでは、ユーザ端末が、制御リソースセット（ＣＯＲＥＳＥＴ：Control  Resource  Set）のＱＣＬに関する情報を示す（含む）送信構成指標（ＴＣＩ）の状態（ＴＣＩ状態）に基づいて、当該ＣＯＲＥＳＥＴの所定のリソース単位にマッピングされる下り制御チャネル（例えば、ＰＤＣＣＨ）の受信を制御することが検討されている。【０００７】
また、上記将来の無線通信システムでは、当該ＣＯＲＥＳＥＴに対して複数のＴＣＩ状態が上位レイヤシグナリング（例えば、ＲＲＣシグナリング）により設定（configure）される場合、ＭＡＣ制御要素（ＭＡＣ  ＣＥ：Medium  Access  Control  Control  Element）によって当該複数のＴＣＩ状態の一つを指定することも検討されている。【０００８】
しかしながら、ユーザ端末に対して一以上のＣＯＲＥＳＥＴが設定される場合、ＭＡＣ  ＣＥを用いたＴＣＩ状態の指定が適切に行われない結果、ユーザ端末が、各ＣＯＲＥＳＥＴに対応する下り制御チャネルの受信処理を適切に制御できない恐れがある。【０００９】
本発明はかかる点に鑑みてなされたものであり、ユーザ端末に対して一以上のＣＯＲＥＳＥＴが設定される場合であっても、各ＣＯＲＥＳＥＴに対応する下り制御チャネルの受信処理を適切に制御可能なユーザ端末及び無線通信方法を提供することを目的の一つとする。
【課題を解決するための手段】
【００１０】
本発明の一態様に係るユーザ端末は、一以上の制御リソースセットにそれぞれ対応する一以上のフィールドを含むＭＡＣMedium  Access  Control）制御要素を受信する受信部と、前記フィールドが示す前記制御リソースセットの送信構成指標（ＴＣＩ）の状態に基づいて、前記制御リソースセット内の所定のリソース単位にマッピングされる下り制御チャネルの受信を制御する制御部と、を具備することを特徴とする。
【発明の効果】
【００１１】
本発明の一態様によれば、ユーザ端末に対して一以上のＣＯＲＥＳＥＴが設定される場合であっても、各ＣＯＲＥＳＥＴに対応する下り制御チャネルの受信処理を適切に制御できる。
【図面の簡単な説明】
【００１２】
【図１】図１は、ユーザ端末に設定されるＢＷＰ及びＣＯＲＥＳＥＴの一例を示す図である。
【図２】図２Ａ−２Ｃは、第１の態様に係るＭＡＣ  ＣＥの一例を示す図である。
【図３】図３Ａ及び３Ｂは、第２の態様に係るＭＡＣ  ＣＥの一例を示す図である。
【図４】図４Ａ及び４Ｂは、第３の態様に係るＭＡＣ  ＣＥの一例を示す図である。
【図５】図５は、第４の態様に係るＭＡＣ  ＰＤＵ（Protocol  Data  Unit）の構成を示す図である。
【図６】図６Ａ−６Ｃは、第４の態様に係るＭＡＣ  ＣＥの一例を示す図である。
【図７】本実施の形態に係る無線通信システムの概略構成の一例を示す図である。
【図８】本実施の形態に係る無線基地局の全体構成の一例を示す図である。
【図９】本実施の形態に係る無線基地局の機能構成の一例を示す図である。
【図１０】本実施の形態に係るユーザ端末の全体構成の一例を示す図である。
【図１１】本実施の形態に係るユーザ端末の機能構成の一例を示す図である。
【図１２】本実施の形態に係る無線基地局及びユーザ端末のハードウェア構成の一例を示す図である。
【発明を実施するための形態】
【００１３】
（ＰＤＳＣＨ用のＱＣＬ）
将来の無線通信システム（例えば、ＮＲ、５Ｇ、５Ｇ＋又はＲｅｌ．１５以降）では、ユーザ端末は、下り共有チャネル（例えば、ＰＤＳＣＨ）の疑似コロケーション（ＱＣＬ）に関する情報（ＱＣＬ情報）に基づいて、当該下り共有チャネルの受信処理（例えば、デマッピング、復調、復号の少なくとも一つ）を制御することが検討されている。
【００１４】
ここで、疑似コロケーション（ＱＣＬ）とは、チャネルの統計的性質を示す指標である。例えば、ある信号と他の信号がＱＣＬの関係である場合、これらの異なる複数の信号間において、ドップラーシフト（doppler  shift）、ドップラースプレッド（doppler  spread）、平均遅延（average  delay）、遅延スプレッド（delay  spread）、空間パラメータ（Spatial  parameter）（例えば、空間受信パラメータ（Spatial  Rx  Prameter））の少なくとも一つが同一であると仮定できることをいう。
【００１５】
ＱＣＬには、同一であると仮定できるパラメータが異なる一以上のタイプ（ＱＣＬタイプ）が設けられてもよい。例えば、同一であると仮定できるパラメータが異なる４つのＱＣＬタイプＡ〜Ｄが設けられてもよい。
【００１６】
・ＱＣＬタイプＡ：ドップラーシフト、ドップラースプレッド、平均遅延及び遅延スプレッドが同一であると仮定できるＱＣＬ
・ＱＣＬタイプＢ：ドップラーシフト及びドップラースプレッドが同一であると仮定できるＱＣＬ
・ＱＣＬタイプＣ：平均遅延及びドップラーシフトが同一であると仮定できるＱＣＬ
・ＱＣＬタイプＤ：空間受信パラメータが同一であると仮定できるＱＣＬ
【００１７】
送信構成指標（ＴＣＩ：Transmission  Configuration  Indicator）の状態（ＴＣＩ状態（TCI-state））は、ＰＤＳＣＨのＱＣＬに関する情報（ＱＣＬ情報又はＰＤＳＣＨ用のＱＣＬ情報等ともいう）を示してもよい（含んでもよい）。当該ＰＤＳＣＨ用のＱＣＬ情報は、例えば、当該ＰＤＳＣＨ（又は当該ＰＤＳＣＨ用のＤＭＲＳポート）と下り参照信号（ＤＬ−ＲＳ：Downlink  Reference  Signal）とのＱＣＬに関する情報であり、例えば、ＱＣＬ関係となるＤＬ−ＲＳに関する情報（ＤＬ−ＲＳ関連情報）及び上記ＱＣＬタイプを示す情報（ＱＣＬタイプ情報）の少なくとも一つを含んでもよい。
【００１８】
ここで、ＤＭＲＳポートは、復調用参照信号（ＤＭＲＳ：Demodulation  Reference  Signal）のアンテナポートである。ＤＭＲＳポートは、複数のＤＭＲＳポートを含むＤＭＲＳポートグループであってもよく、本明細書におけるＤＭＲＳポートは、ＤＭＲＳポートグループと読み替えられてもよい。
【００１９】
当該ＤＬ−ＲＳ関連情報は、ＱＣＬ関係となるＤＬ−ＲＳを示す情報及び当該ＤＬ−ＲＳのリソースを示す情報の少なくとも一つを含んでもよい。例えば、ユーザ端末に複数の参照信号セット（ＲＳセット）が設定される場合、当該ＤＬ−ＲＳ関連情報は、当該ＲＳセットに含まれる参照信号の中でＰＤＳＣＨ（又はＰＤＳＣＨ用のＤＭＲＳポート）とＱＣＬ関係となる所定のＤＬ−ＲＳ及び当該ＤＬ−ＲＳ用のリソースを示してもよい。
【００２０】
ここで、ＤＬ−ＲＳは、同期信号（例えば、プライマリ同期信号（ＰＳＳ：Primary  Synchronaization  Signal）及びセカンダリ同期信号（ＳＳＳ：Secondary  Synchronaization  Signal）の少なくとも一つ）、モビリティ参照信号（ＭＲＳ：Mobility  RS）、同期信号ブロック（ＳＳＢ）、チャネル状態情報参照信号（ＣＳＩ−ＲＳ：Channel  Satate  Information-Reference  Signal）、復調用参照信号（ＤＭＲＳ：DeModulation  Reference  Signal）、報知チャネル（ＰＢＣＨ：Physical  Broadcast  Channel）、ビーム固有の信号などの少なくとも１つ、又はこれらを拡張及び／又は変更して構成される信号（例えば、密度及び／又は周期を変更して構成される信号）であってもよい。
【００２１】
以上のように、各ＴＣＩ状態は、ＰＤＳＣＨ用のＱＣＬ情報を示すことができる（含むことができる）。ユーザ端末に対しては、一以上のＴＣＩ状態（一以上のＰＤＳＣＨ用のＱＣＬ情報）が上位レイヤシグナリング（例えば、ＲＲＣシグナリング）により無線基地局から通知（設定（configure））されてもよい。なお、ユーザ端末に設定されるＴＣＩ状態の数は、ＱＣＬタイプによって制限されてもよい。
【００２２】
ＰＤＳＣＨのスケジューリングに用いられるＤＣＩ（ＤＬアサインメント）は、ＴＣＩ状態（ＰＤＳＣＨ用のＱＣＬ情報）を示す所定のフィールド（ＴＣＩ状態フィールド）を含んでもよい。ＴＣＩ状態フィールドは、所定ビット数（例えば、３ビット）で構成されてもよい。当該ＴＣＩ状態フィールドがＤＣＩに含まれるか否かは、無線基地局からの通知（例えば、上位レイヤシグナリング）によって制御されてもよい。
【００２３】
例えば、ＤＣＩが３ビットのＴＣＩ状態フィールドを含む場合、無線基地局は、最大８種類のＴＣＩ状態を上位レイヤシグナリングによりユーザ端末に予め設定（configure）してもよい。ＤＣＩ内のＴＣＩ状態フィールドの値（ＴＣＩ状態フィールド値）は、上位レイヤシグナリングにより予め設定されたＴＣＩ状態の一つを示してもよい。
【００２４】
８種類を超えるＴＣＩ状態がユーザ端末に設定される場合、ＭＡＣ  ＣＥにより、８種類以下のＴＣＩ状態がアクティブ化（指定）されてもよい。ＤＣＩ内のＴＣＩ状態フィールドの値は、ＭＡＣ  ＣＥによりアクティブ化されたＴＣＩ状態の一つを示してもよい。
【００２５】
ユーザ端末は、ＤＣＩが示すＴＣＩ状態（ＰＤＳＣＨ用のＱＣＬ情報）に基づいて、ＰＤＳＣＨ（又はＰＤＳＣＨのＤＭＲＳポート）のＱＣＬを決定する。例えば、ユーザ端末は、サービングセルのＰＤＳＣＨのＤＭＲＳポート（又は、ＤＭＲＳポートグループ）が、ＤＣＩで通知されたＴＣＩ状態に対応するＤＬ−ＲＳとＱＣＬであると想定してＰＤＳＣＨの受信処理（例えば、復号処理及び／又は復調処理等）を制御する。これにより、ＰＤＳＣＨの受信精度を向上できる。
【００２６】
（ＰＤＣＣＨ用のＱＣＬ）
また、当該将来の無線通信システムでは、ユーザ端末は、下り制御チャネル（例えば、ＰＤＣＣＨ）のＱＣＬに関する情報（ＱＣＬ情報）に基づいて、当該下り制御チャネルの受信処理を制御することが検討されている。
【００２７】
ＴＣＩ状態は、ＰＤＣＣＨのＱＣＬに関する情報（ＱＣＬ情報又はＰＤＣＣＨ用のＱＣＬ情報等ともいう）を示してもよい（含んでもよい）。当該ＰＤＣＣＨ用のＱＣＬ情報は、例えば、当該ＰＤＣＣＨ（又は当該ＰＤＣＣＨ用のＤＭＲＳポート）とＤＬ−ＲＳとのＱＣＬに関する情報であり、例えば、ＱＣＬ関係となるＤＬ−ＲＳに関する情報（ＤＬ−ＲＳ関連情報）及び上記ＱＣＬタイプを示す情報（ＱＣＬタイプ情報）の少なくとも一つを含んでもよい。ＤＬ−ＲＳ関連情報及びＤＬ−ＲＳについては、ＰＤＳＣＨ用のＱＣＬで説明した通りである。
【００２８】
或いは、当該ＰＤＣＣＨ用のＱＣＬ情報は、当該ＰＤＣＣＨがマッピングされる制御リソースセット（ＣＯＲＥＳＥＴ：control  resource  set）とＤＬ−ＲＳとのＱＣＬに関する情報であってもよく、例えば、ＱＣＬ関係にあるＤＬ−ＲＳを示す情報（ＤＬ−ＲＳ関連情報）及び上記ＱＣＬタイプを示す情報（ＱＣＬタイプ情報）の少なくとも一つを含んでもよい。
【００２９】
ここで、ＣＯＲＥＳＥＴとは、ＰＤＣＣＨが割当てられるリソース領域であり、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の所定のリソース単位にマッピングされる。
【００３０】
当該所定のリソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）、一以上のＲＥＧバンドル（ＲＥＧグループ）、物理リソースブロック（ＰＲＢ：Physical  Resource  Block）の少なくとも一つであればよい。
【００３１】
ユーザ端末は、ＣＯＲＥＳＥＴ（又はＣＯＲＥＳＥＴ内のサーチスペース）内の所定のリソース単位にマッピングされるＤＣＩを監視（monitor）（ブラインド復号）して当該ユーザ端末に対するＤＣＩを検出する。
【００３２】
ユーザ端末に対しては、ＣＯＲＥＳＥＴあたりＫ個（Ｋ≧１）のＴＣＩ状態（Ｋ個のＰＤＣＣＨ用のＱＣＬ情報）が上位レイヤシグナリング（例えば、ＲＲＣシグナリング）により無線基地局から通知（設定（configure））されてもよい。
【００３３】
ＣＯＲＥＳＥＴに対して複数のＴＣＩ状態が設定される場合（Ｋ＞１）、無線基地局はユーザ端末に対して所定のＴＣＩ状態（例えば、１つのＴＣＩ状態）を、ＭＡＣ  ＣＥによりアクティブ化（指定）してもよい。ＭＡＣ  ＣＥは、ＴＣＩ状態の変更を行うＣＯＲＥＳＥＴのインデックスと、そのＣＯＲＥＳＥＴに対して設定する１つのＴＣＩ状態との少なくとも一つを示してもよい（含んでもよい）。また、ＴＣＩ状態の変更を行うＣＯＲＥＳＥＴに対しては、予め上位レイヤシグナリング（例えば、ＲＲＣシグナリング等）によって、２つ以上のＴＣＩ状態候補が設定されているものとしてもよい。
【００３４】
また、ユーザ端末は、上記ＭＡＣ  ＣＥ（当該ＭＡＣ  ＣＥを伝送するＰＤＳＣＨ）の受信から所定期間（例えば４スロット、あるいは１０シンボル、など）経過以降、当該ＭＡＣ  ＣＥにより指定されたＣＯＲＥＳＥＴにおいてモニタリングされるＰＤＣＣＨに対して、当該ＭＡＣ  ＣＥにより指定されたＴＣＩ状態を想定して受信（チャネル推定、復調）を行ってもよい。
【００３５】
なお、ＣＯＲＥＳＥＴに対して単一のＴＣＩ状態が設定される場合（Ｋ＝１）、ＭＡＣ  ＣＥによるＴＣＩ状態の通知は行われなくともよい。
【００３６】
ユーザ端末は、以上のように設定又は指定されるＴＣＩ状態（ＰＤＣＣＨ用のＱＣＬ情報）に基づいて、ＰＤＣＣＨ（当該ＰＤＣＣＨのＤＭＲＳポート又はＣＯＲＥＳＥＴ）のＱＣＬを決定する。例えば、ユーザ端末は、ＰＤＣＣＨのＤＭＲＳポート（又はＣＯＲＥＳＥＴ）が、上記ＴＣＩ状態に対応するＤＬ−ＲＳとＱＣＬであると想定してＰＤＣＣＨの受信処理（例えば、復号処理及び／又は復調処理等）を制御する。これにより、ＰＤＣＣＨの受信精度を向上できる。
【００３７】
ところで、上記将来の無線通信システムでは、ユーザ端末に対して一以上のＣＯＲＥＳＥＴが上位レイヤシグナリング（例えば、ＲＲＣシグナリング）により設定（configure）されることが想定される。例えば、当該ユーザ端末に設定される１サービングセル（キャリア、コンポーネントキャリア（ＣＣ））あたり一以上のＣＯＲＥＳＥＴが設定されてもよい。
【００３８】
また、１サービングセルのシステム帯域幅（キャリア帯域幅）内に一以上の部分的な周波数帯域（部分帯域又は帯域幅部分（ＢＷＰ：Bandwidth  Part）等ともいう）が設定される場合、１ＢＷＰあたり一以上のＣＯＲＥＳＥＴが設定されてもよい。
【００３９】
図１は、ユーザ端末に設定されるＢＷＰ及びＣＯＲＥＳＥＴの一例を示す図である。図１に示すように、ユーザ端末に設定されるキャリア内には、一以上のＢＷＰ（図１では、ＢＷＰ＃１及び＃２）が設定（configure）されてもよい。また、各ＢＷＰには、一以上のＣＯＲＥＳＥＴ（図１では、ＢＷＰあたり１ＣＯＲＥＳＥＴ）が設定されてもよい。
【００４０】
なお、図１では、ＢＷＰ＃２の一部がＢＷＰ＃１と重複するが、ＢＷＰ＃１及び＃２は重複しない帯域に設定されてもよい。また、図１では、あるタイミングでアクティブであるＢＷＰは一つであるものとするが、一以上のＢＷＰがアクティブ化されてもよい。また、図１では、１キャリアだけが示されるが、ユーザ端末に対して２以上のキャリアが設定されてもよい。
【００４１】
図１において、ユーザ端末は、アクティブ化されているＢＷＰのＣＯＲＥＳＥＴ（当該ＣＯＲＥＳＥＴ内のサーチスペース）を監視して、当該ユーザ端末に対するＤＣＩを検出する。当該ＤＣＩは、どのＢＷＰに対するＤＣＩであるかを示す情報（ＢＷＰ情報）を含んでもよい。当該ＢＷＰ情報は、例えば、ＢＷＰのインデックスであり、ＤＣＩ内の所定フィールド値であればよい。ユーザ端末は、ＤＣＩ内のＢＷＰ情報に基づいて、当該ＤＣＩによってＰＤＳＣＨ又はＰＵＳＣＨがスケジューリングされるＢＷＰを決定してもよい。
【００４２】
例えば、図１に示すように、ユーザ端末は、ＣＯＲＥＳＥＴ＃１内でＢＷＰ＃１のインデックスを含むＤＣＩを検出する場合、当該ＤＣＩに基づいて、ＢＷＰ＃１内にスケジューリングされたＰＤＳＣＨを受信してもよい。また、ユーザ端末は、ＣＯＲＥＳＥＴ＃１内でＢＷＰ＃２のインデックスを含むＤＣＩを検出する場合、当該ＤＣＩに基づいて、ＢＷＰ＃２内にスケジューリングされたＰＤＳＣＨを受信してもよい。なお、ＣＯＲＥＳＥＴ＃１及び／又は＃２には、ＰＵＳＣＨをスケジューリングするＤＣＩがマッピングされてもよい。
【００４３】
図１に示すように、ユーザ端末に対して複数のＣＯＲＥＳＥＴ＃１及び＃２が設定される場合、当該ＣＯＲＥＳＥＴ＃１及び＃２に対して、それぞれ、一以上のＴＣＩ状態が上位レイヤシグナリングで設定（configure）されることが想定される。この場合、ＭＡＣ  ＣＥを用いてＣＯＲＥＳＥＴ＃１及び＃２それぞれのＴＣＩ状態を指定することが想定される。この場合、複数のＣＯＲＥＳＥＴのＴＣＩ状態を指定するＭＡＣ  ＣＥをどのように構成するかが問題となる。
【００４４】
そこで、本発明者らは、ユーザ端末に対して一以上のＣＯＲＥＳＥＴが設定される場合、当該ＣＯＲＥＳＥＴのＴＣＩ状態を指定するＭＡＣ  ＣＥを適切に構成することで、当該ＣＯＲＥＳＥＴに対応するＰＤＣＣＨの受信処理を適切に制御可能となる点に着目し、本発明に至った。
【００４５】
以下、本実施の形態について、図面を参照して詳細に説明する。なお、以下の説明では、ＴＣＩ状態に基づいてＰＤＳＣＨの復調に利用する場合について説明するが、本実施の形態はこれに限られない。ＴＣＩ状態を利用する動作（例えば、他の信号又はチャネルの受信処理）について適用することができる。また、以下の説明において、ＱＣＬは、空間におけるＱＣＬ（spatially  quasi  co-located）、空間関係（spatial  relation）等と読み替えられてもよい。
【００４６】
（第１の態様）
第１の態様では、ＭＡＣ  ＣＥは、一以上のＣＯＲＥＳＥＴにそれぞれ対応する一以上のフィールドを含む。
【００４７】
具体的には、ユーザ端末は、一以上のＣＯＲＥＳＥＴにそれぞれ対応する一以上のフィールドを含むＭＡＣ  ＣＥを受信する。ユーザ端末は、当該ＭＡＣ  ＣＥをＰＤＳＣＨを用いて受信してもよい。
【００４８】
ユーザ端末は、ＭＡＣ  ＣＥ内の各フィールドが示すＣＯＲＥＳＥＴのＴＣＩ状態に基づいて、当該ＣＯＲＥＳＥＴ内の所定のリソース単位（例えば、ＣＣＥ、ＣＣＥグループ、ＲＥＧ、ＲＥＧバンドル、ＰＲＢの少なくとも一つ）にマッピングされるＰＤＣＣＣＨの受信を制御する。
【００４９】
ここで、ＴＣＩ状態は、上述のＰＤＣＣＨ（又は当該ＰＤＣＣＨのＤＭＲＳポート）とＤＬ−ＲＳのＱＣＬに関する情報、又は、上述のＣＯＲＥＳＥＴとＤＬ−ＲＳとのＱＣＬに関する情報を示してもよい（含んでもよい）。
【００５０】
図２は、第１の態様に係るＭＡＣ  ＣＥの一例を示す図である。図２Ａに示すように、ＭＡＣ  ＣＥ内の各フィールドは、複数のビット（例えば、６又は８ビット）を含んでもよい。各フィールドは、対応するＣＯＲＥＳＥＴに設定された一以上のＴＣＩ状態（エントリ）の一つを示してもよい。
【００５１】
図２Ａにおいて、ＭＡＣ  ＣＥ内のフィールドの数は、ユーザ端末に対して設定（configure）された一以上のＢＷＰ内のＣＯＲＥＳＥＴの総数、又は、当該設定されたＢＷＰのうちでアクティブ化されたＢＷＰ内のＣＯＲＥＳＥＴの総数に基づいて、決定されてもよい（等しくてもよい）。
【００５２】
例えば、図２Ａでは、ＭＡＣ  ＣＥ内には、ＣＯＲＥＳＥＴ＃０−＃３にそれぞれ対応する４フィールドが設けられる。なお、ＭＡＣ  ＣＥは、オクテット（８ビット）単位で区切られるため、図２Ａに示すように、同一のＣＯＲＥＳＥＴに対応するフィールドが、複数のオクテットに跨って配置されてもよい。
【００５３】
図２Ｂに示すように、ＣＯＲＥＳＥＴ＃ｉ（ｉ＝０、１、２…）に対応するフィールドを構成する複数のビットは、それぞれ、ＴＣＩ状態に対応するビットマップであってもよい。図２Ｂに示すように、ＣＯＲＥＳＥＴ＃ｉ用のフィールドが６ビットで構成される場合、６ビットがそれぞれ６種類のＴＣＩ状態に対応してもよい。この場合、ＣＯＲＥＳＥＴ＃ｉ用のフィールドは、“１”に設定（set）されたビットに対応するＴＣＩ状態を示してもよい。
【００５４】
例えば、図２Ｂでは、ＴＣＩ状態＃３に対応するビットが“１”に設定（set）されるので、ＣＯＲＥＳＥＴ＃ｉ用のフィールドは、当該ＴＣＩ状態＃３を示す。ユーザ端末は、当該ＣＯＲＥＳＥＴ＃ｉ用のフィールドが示すＴＣＩ状態＃３に基づいて、当該ＣＯＲＥＳＥＴ内の所定のリソース単位にマッピングされるＰＤＣＣＨを受信する。
【００５５】
なお、図２Ｂでは、ＣＯＲＥＳＥＴ＃ｉ用のフィールドによって指定可能な少なくとも１つのＴＣＩ状態が上位レイヤシグナリングによって設定（configure）されていればよい。すなわち、図２Ｂでは、少なくともＴＣＩ状態＃２が上位レイヤシグナリングによりユーザ端末に設定（configure）されていれば、ＴＣＩ状態＃０−＃５の全てが予め設定（configure）される必要はない。
【００５６】
或いは、図２Ｃに示すように、ＣＯＲＥＳＥＴ＃ｉ（ｉ＝０、１、２…）に対応するフィールドは、ハードコード（hardcode）を用いてＴＣＩ状態を示してもよい。図２Ｃに示すように、ＣＯＲＥＳＥＴ＃ｉ用のフィールドが６ビットで構成される場合、当該フィールドは、２の６乗である６４種類のＴＣＩ状態＃０−＃６３を指定可能である。
【００５７】
例えば、図２Ｃでは、ＣＯＲＥＳＥＴ＃ｉ用のフィールドが“００１０００（２進数）”に設定されるので、当該フィールドは、ＴＣＩ状態＃７を示してもよい。なお、図２Ｃでも、少なくとも一つのＴＣＩ状態（ここでは、ＴＣＩ状態＃７）が上位レイヤシグナリングにより設定されていれば、ＣＯＲＥＳＥＴ＃ｉ用のフィールドで指定可能な全種類のＴＣＩ状態（ここでは、ＴＣＩ＃０−＃６３）が予め設定される必要はない。
【００５８】
図２Ｃに示すようにハードコードを用いる場合、ＣＯＲＥＳＥＴ＃ｉ用のフィールドは、図２Ｂに示すようにビットマップを用いる場合より多くの種類のＴＣＩ状態を指定することができる。
【００５９】
第１の態様では、ＭＡＣ  ＣＥに含まれる各フィールドが、対応するＣＯＲＥＳＥＴの一つのＴＣＩ状態を示す。このため、当該ＣＯＲＥＳＥＴに一以上のＴＣＩ状態が上位レイヤシグナリングにより予め設定される場合でも、ユーザ端末は、ＭＡＣ  ＣＥ内の当該ＣＯＲＥＳＥＴに対応するフィールドが示すＴＣＩ状態に基づいて、当該ＣＯＲＥＳＥＴ内の所定のリソース単位にマッピングされるＰＤＣＣＨの受信処理を行うことができる。
【００６０】
（第２の態様）
第２の態様では、ＭＡＣ  ＣＥは、どのＣＯＲＥＳＥＴのＴＣＩ状態が当該ＭＡＣ  ＣＥ内で指定されるかを示す特定のフィールドを含む点で、第１の態様と異なる。以下では、第１の態様との相違点を中心に説明する。
【００６１】
図３は、第２の態様に係るＭＡＣ  ＣＥの一例を示す図である。図３Ａに示すように、上記特定のフィールドは、複数のＣＯＲＥＳＥＴ（ここでは、ＣＯＲＥＳＥＴ＃Ｘ０−＃Ｘ７）に対応する複数のビットを含むビットマップであってもよい。
【００６２】
当該特定のフィールドは、“１”に設定（set）されたビットに対応するＣＯＲＥＳＥＴ用のフィールドがＭＡＣ  ＣＥ内に含まれることを示す。すなわち、当該特定のフィールドは、１”に設定（set）されたビットに対応するＣＯＲＥＳＥＴ用のＴＣＩ状態がＭＡＣ  ＣＥ内で指定されることを示す。
【００６３】
図３Ａにおいて、ＭＡＣ  ＣＥ内に含まれる、ＴＣＩ状態を示すフィールドの数は、当該特定のフィールドにおいて“１”が設定（set）されたビットの数に基づいて決定されてもよい（等しくてもよい）。
【００６４】
例えば、図３Ｂでは、ＭＡＣ  ＣＥ内の特定のフィールドのＣＯＲＥＳＥＴ＃Ｘ０、＃Ｘ２及び＃Ｘ３に対応するビットが“１”に設定（set）される。このため、図３Ｂに示されるＭＡＣ  ＣＥは、ＣＯＲＥＳＥＴ＃Ｘ０、＃Ｘ２及び＃Ｘ３それぞれに対応する３フィールドを含んでもよい。各フィールドでは、第１の態様で説明したように、対応するＣＯＲＥＳＥＴのＴＣＩ状態が示される（図２Ｂ、図２Ｃ参照）。
【００６５】
また、ＭＡＣ  ＣＥを構成するオクテットの数Ｍは、特定のフィールドにおいて“１”が設定（set）されたビットの数と、ＣＯＲＥＳＥＴのＴＣＩ状態を示すフィールドのビット数と、当該特定のフィールドのビット数との少なくとも一つに基づいて決定されてもい。
【００６６】
例えば、図３Ｂでは、ＣＯＲＥＳＥＴのＴＣＩ状態を示す各フィールドが８ビットで構成され、上記特定のフィールドにおいて“１”が設定されたビット数が３であり、特定のフィールドが８ビットで構成されるため、ＭＡＣ  ＣＥを構成するオクテットの数Ｍは、４であってもよい。
【００６７】
なお、図３Ａ及び３Ｂでは、各ＣＯＲＥＳＥＴのＴＣＩ状態を示すフィールドが８ビットで構成される場合を例示するが、当該フィールドを構成するビット数は、８ビットに限られない。
【００６８】
第２の態様では、ＭＡＣ  ＣＥ内の特定のフィールドがどのＣＯＲＥＳＥＴのＴＣＩ状態が当該ＭＡＣ  ＣＥ内で指定されるかを示す。したがって、ユーザ端末に対して一以上のＣＯＲＥＳＥＴが設定（configure）される場合であっても、どのＣＯＲＥＳＥＴのＴＣＩ状態が指定されるかを適切に認識できる。
【００６９】
なお、第２の態様では、前記特定のフィールドは、（ｉ）各ＣＯＲＥＳＥＴに設定されるＴＣＩ状態の数に関わらず、設定されたＣＯＲＥＳＥＴに対応するビットマップであってもよいし、（ｉｉ）１つ以上のＴＣＩ状態が設定されたすべてのＣＯＲＥＳＥＴに対応するビットマップであってもよいし、（ｉｉｉ）２つ以上のＴＣＩ状態が設定されたすべてのＣＯＲＥＳＥＴに対応するビットマップであってもよい。当該フィールドにおいて、対応するビットが“１”となるのは２つ以上のＴＣＩ状態が設定されたＣＯＲＥＳＥＴに対してのみであるため、（ｉ）よりも（ｉｉ）、（ｉｉ）よりも（ｉｉｉ）の順で、オーバーヘッドを削減することができる。
【００７０】
（第３の態様）
第３の態様では、ＭＡＣ  ＣＥは、どのＢＷＰのＣＯＲＥＳＥＴのＴＣＩ状態が当該ＭＡＣ  ＣＥ内で指定されるかを示す特定のフィールドを含む点で、第２の態様と異なる。以下では、第１及び第２の態様との相違点を中心に説明する。
【００７１】
図４は、第３の態様に係るＭＡＣ  ＣＥの一例を示す図である。図４Ａに示すように、上記特定のフィールドは、複数のＢＷＰ（ここでは、ＢＷＰ＃Ｘ０−＃Ｘ７）に対応する複数のビットを含むビットマップであってもよい。
【００７２】
当該特定のフィールドは、“１”に設定（set）されたビットに対応するＢＷＰ内に設定（configure）された一以上のＣＯＲＥＳＥＴ用のフィールドがＭＡＣ  ＣＥ内に含まれることを示す。すなわち、当該特定のフィールドは、１”に設定（set）されたビットに対応するＢＷＰに関連付けられるＣＯＲＥＳＥＴ用のＴＣＩ状態がＭＡＣ  ＣＥ内で指定されることを示す。
【００７３】
ここで、ＢＷＰに関連付けられるＣＯＲＥＳＥＴは、当該ＢＷＰに対して上位レイヤシグナリングにより設定（configure）される一以上のＣＯＲＥＳＥＴであってもよいし、或いは、当該設定されたＣＯＲＥＳＥＴのうちアクティブ化されているＣＯＲＥＳＥＴであってもよい。
【００７４】
図４Ａにおいて、ＭＡＣ  ＣＥ内に含まれる、ＴＣＩ状態を示すフィールドの数は、当該特定のフィールドにおいて“１”が設定（set）されたビットの数と、当該ビットに対応するＢＷＰに関連付けられるＣＯＲＥＳＥＴの数とに基づいて決定されてもよい。
【００７５】
例えば、図４Ｂでは、ＭＡＣ  ＣＥ内の特定のフィールドのＢＷＰ＃Ｘ０及び＃Ｘ１に対応するビットが“１”に設定（set）される。このため、図４Ｂに示されるＭＡＣ  ＣＥは、ＢＷＰ＃Ｘ０に関連付けられるＣＯＲＥＳＥＴ＃０及び＃１に対応する２フィールドと、ＢＷＰ＃Ｘ１に関連付けられるＣＯＲＥＳＥＴ＃０に対応する１フィールドを含んでもよい。各フィールドでは、第１の態様で説明したように、対応するＣＯＲＥＳＥＴのＴＣＩ状態が示される（図２Ｂ、図２Ｃ参照）。
【００７６】
また、ＭＡＣ  ＣＥを構成するオクテットの数Ｍは、特定のフィールドにおいて“１”が設定（set）されたビットに対応するＢＷＰに関連付けられるＣＯＲＥＳＥＴの総数と、ＴＣＩ状態を示すフィールドのビット数と、当該特定のフィールドのビット数との少なくとも一つに基づいて決定されてもい。
【００７７】
例えば、図４Ｂでは、、ＣＯＲＥＳＥＴのＴＣＩ状態を示す各フィールドが８ビットで構成され、上記特定のフィールドにおいて“１”が設定されたビットに対応するＢＷＰ＃Ｘ０及び＃Ｘ１に関連付けられるＣＯＲＥＳＥＴの総数が３であるため、ＭＡＣ  ＣＥを構成するオクテットの数Ｍは、４であってもよい。
【００７８】
なお、図４Ａ及び４Ｂでは、各ＣＯＲＥＳＥＴのＴＣＩ状態を示すフィールドが８ビットで構成される場合を例示するが、当該フィールドを構成するビット数は、８ビットに限られない。
【００７９】
第３の態様では、ＭＡＣ  ＣＥ内の特定のフィールドがどのＢＷＰのＣＯＲＥＳＥＴのＴＣＩ状態が当該ＭＡＣ  ＣＥ内で指定されるかを示す。したがって、ユーザ端末に対して一以上のＢＷＰが設定（configure）される場合であっても、どのＢＷＰのＣＯＲＥＳＥＴのＴＣＩ状態が指定されるかを適切に認識できる。
【００８０】
（第４の態様）
一以上のＣＯＲＥＳＥＴのＴＣＩ状態を示すＭＡＣ  ＣＥに対して、独立のＬＣＩＤ（Logical  Channel  Identifier）が定義されてもよい。
【００８１】
図５は、ＭＡＣ  ＰＤＵ（Protocol  Data  Unit）の構成を示す図である。ＭＡＣ  ＰＤＵは、複数のＭＡＣサブＰＤＵを含む。ＭＡＣサブＰＤＵは、ＭＡＣ  ＣＥ、ＭＡＣ  ＳＤＵ（Service  Data  Unit）、パディング（padding）のいずれかを含む。固定サイズＭＡＣ  ＣＥには、Ｒ／ＬＣＩＤ  ＭＡＣサブヘッダ（図６Ｃ）が付加され、可変サイズＭＡＣ  ＣＥ及びＭＡＣ  ＳＤＵには、Ｒ／Ｆ／ＬＣＩＤ／Ｌ  ＭＡＣサブヘッダ（図６Ａ又は図６Ｂ）が付加される。
【００８２】
図６Ａは、８ビットのレングス（length）フィールドを有するＲ／Ｆ／ＬＣＩＤ／Ｌ  ＭＡＣサブヘッダの構成を示す。図６Ｂは、１６ビットのレングスフィールドを有するＲ／Ｆ／ＬＣＩＤ／Ｌ  ＭＡＣサブヘッダの構成を示す。図６Ｃは、Ｒ／ＬＣＩＤ  ＭＡＣサブヘッダの構成を示す。
【００８３】
Ｌは、対応するＭＡＣ  ＳＤＵ又は可変サイズＭＡＣ  ＣＥの長さを、バイト単位で示すレングスフィールドである。Ｆは、レングスフィールドのサイズを示す１ビットフォーマットフィールドである。値０は、８ビットのレングスフィールドを示し、値１は、１６ビットのレングスフィールドを示す。Ｒは、リザーブドビットであり、０にセットされる。
【００８４】
ＬＣＩＤフィールドは、対応するＭＡＣ  ＳＤＵの論理チャネルインスタンス、又は対応するＭＡＣ  ＣＥのタイプ、又はＤＬ−ＳＣＨ（Downlink−Shared  Channel）及びＵＬ−ＳＣＨ（Uplink−Shared  Channel）のためのパディングを示す。ＭＡＣサブヘッダ毎に１つのＬＣＩＤフィールドがある。ＬＣＩＤフィールドサイズは６ビットであってもよい。
【００８５】
一以上のＣＯＲＥＳＥＴのＴＣＩ状態を示すＭＡＣ  ＣＥに対して、独立のＬＣＩＤが用いられることによって、ユーザ端末は、当該ＭＡＣ  ＣＥが一以上のＣＯＲＥＳＥＴのＴＣＩ状態を含むことを簡易に認識できる。
【００８６】
（無線通信システム）
以下、本実施の形態に係る無線通信システムの構成について説明する。この無線通信システムでは、上記複数の態様の少なくとも一つの組み合わせを用いて通信が行われる。
【００８７】
図７は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。
【００８８】
なお、無線通信システム１は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＮＲ（New  Radio）、ＦＲＡ（Future  Radio  Access）、Ｎｅｗ−ＲＡＴ（Radio  Access  Technology）などと呼ばれてもよいし、これらを実現するシステムと呼ばれてもよい。
【００８９】
無線通信システム１は、比較的カバレッジの広いマクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。各セル及びユーザ端末２０の配置、数などは、図に示す態様に限定されない。
【００９０】
ユーザ端末２０は、無線基地局１１及び無線基地局１２の双方に接続することができる。ユーザ端末２０は、マクロセルＣ１及びスモールセルＣ２を、ＣＡ又はＤＣを用いて同時に使用することが想定される。また、ユーザ端末２０は、複数のセル（ＣＣ）（例えば、５個以下のＣＣ、６個以上のＣＣ）を用いてＣＡ又はＤＣを適用してもよい。
【００９１】
ユーザ端末２０と無線基地局１１との間は、相対的に低い周波数帯域（例えば、２ＧＨｚ）で帯域幅が狭いキャリア（既存キャリア、legacy  carrierなどとも呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【００９２】
また、ユーザ端末２０は、各セルで、時分割複信（ＴＤＤ：Time  Division  Duplex）及び／又は周波数分割複信（ＦＤＤ：Frequency  Division  Duplex）を用いて通信を行うことができる。また、各セル（キャリア）では、単一のニューメロロジーが適用されてもよいし、複数の異なるニューメロロジーが適用されてもよい。
【００９３】
ニューメロロジーとは、ある信号及び／又はチャネルの送信及び／又は受信に適用される通信パラメータであってもよく、例えば、サブキャリア間隔、帯域幅、シンボル長、サイクリックプレフィックス長、サブフレーム長、ＴＴＩ長、ＴＴＩあたりのシンボル数、無線フレーム構成、フィルタリング処理、ウィンドウイング処理などの少なくとも１つを示してもよい。
【００９４】
無線基地局１１と無線基地局１２との間（又は、２つの無線基地局１２間）は、有線（例えば、ＣＰＲＩ（Common  Public  Radio  Interface）に準拠した光ファイバ、Ｘ２インターフェースなど）又は無線によって接続されてもよい。
【００９５】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。また、各無線基地局１２は、無線基地局１１を介して上位局装置３０に接続されてもよい。
【００９６】
なお、無線基地局１１は、相対的に広いカバレッジを有する無線基地局であり、マクロ基地局、集約ノード、ｅＮＢ（eNodeB）、送受信ポイント、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。
【００９７】
各ユーザ端末２０は、ＬＴＥ、ＬＴＥ−Ａなどの各種通信方式に対応した端末であり、移動通信端末（移動局）だけでなく固定通信端末（固定局）を含んでもよい。
【００９８】
無線通信システム１においては、無線アクセス方式として、下りリンクに直交周波数分割多元接続（ＯＦＤＭＡ：Orthogonal  Frequency  Division  Multiple  Access）が適用され、上りリンクにシングルキャリア−周波数分割多元接続（ＳＣ−ＦＤＭＡ：Single  Carrier  Frequency  Division  Multiple  Access）及び／又はＯＦＤＭＡが適用される。
【００９９】
ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックによって構成される帯域に分割し、複数の端末が互いに異なる帯域を用いることで、端末間の干渉を低減するシングルキャリア伝送方式である。なお、上り及び下りの無線アクセス方式は、これらの組み合わせに限らず、他の無線アクセス方式が用いられてもよい。
【０１００】
無線通信システム１では、下りリンクのチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下りＬ１／Ｌ２制御チャネルなどが用いられる。ＰＤＳＣＨによって、ユーザデータ、上位レイヤ制御情報、ＳＩＢ（System  Information  Block）などが伝送される。また、ＰＢＣＨによって、ＭＩＢ（Master  Information  Block）が伝送される。
【０１０１】
下りＬ１／Ｌ２制御チャネルは、下り制御チャネル（ＰＤＣＣＨ（Physical  Downlink  Control  Channel）及び／又はＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）の少なくとも一つを含む。ＰＤＣＣＨによって、ＰＤＳＣＨ及び／又はＰＵＳＣＨのスケジューリング情報を含む下り制御情報（ＤＣＩ：Downlink  Control  Information）などが伝送される。
【０１０２】
なお、ＤＣＩによってスケジューリング情報が通知されてもよい。例えば、ＤＬデータ受信をスケジューリングするＤＣＩは、ＤＬアサインメントと呼ばれてもよいし、ＵＬデータ送信をスケジューリングするＤＣＩは、ＵＬグラントと呼ばれてもよい。
【０１０３】
ＰＣＦＩＣＨによって、ＰＤＣＣＨに用いるＯＦＤＭシンボル数が伝送される。ＰＨＩＣＨによって、ＰＵＳＣＨに対するＨＡＲＱ（Hybrid  Automatic  Repeat  reQuest）の送達確認情報（例えば、再送制御情報、ＨＡＲＱ−ＡＣＫ、ＡＣＫ／ＮＡＣＫなどともいう）が伝送される。ＥＰＤＣＣＨは、ＰＤＳＣＨ（下り共有データチャネル）と周波数分割多重され、ＰＤＣＣＨと同様にＤＣＩなどの伝送に用いられる。
【０１０４】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨによって、ユーザデータ、上位レイヤ制御情報などが伝送される。また、ＰＵＣＣＨによって、下りリンクの無線リンク品質情報（ＣＱＩ：Channel  Quality  Indicator）、送達確認情報、スケジューリングリクエスト（ＳＲ：Scheduling  Request）などが伝送される。ＰＲＡＣＨによって、セルとの接続確立のためのランダムアクセスプリアンブルが伝送される。
【０１０５】
無線通信システム１では、下り参照信号として、セル固有参照信号（ＣＲＳ：Cell-specific  Reference  Signal）、チャネル状態情報参照信号（ＣＳＩ−ＲＳ：Channel  State  Information-Reference  Signal）、復調用参照信号（ＤＭＲＳ：DeModulation  Reference  Signal）、位置決定参照信号（ＰＲＳ：Positioning  Reference  Signal）などが伝送される。また、無線通信システム１では、上り参照信号として、測定用参照信号（ＳＲＳ：Sounding  Reference  Signal）、復調用参照信号（ＤＭＲＳ）などが伝送される。なお、ＤＭＲＳはユーザ端末固有参照信号（UE-specific  Reference  Signal）と呼ばれてもよい。また、伝送される参照信号は、これらに限られない。
【０１０６】
＜無線基地局＞
図８は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信アンテナ１０１、アンプ部１０２、送受信部１０３は、それぞれ１つ以上を含むように構成されればよい。
【０１０７】
下りリンクによって無線基地局１０からユーザ端末２０に送信されるユーザデータは、上位局装置３０から伝送路インターフェース１０６を介してベースバンド信号処理部１０４に入力される。
【０１０８】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化、逆高速フーリエ変換などの送信処理が行われて、送受信部１０３に転送される。
【０１０９】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２によって増幅され、送受信アンテナ１０１から送信される。送受信部１０３は、本開示に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１１０】
一方、上り信号については、送受信アンテナ１０１で受信された無線周波数信号がアンプ部１０２で増幅される。送受信部１０３はアンプ部１０２で増幅された上り信号を受信する。送受信部１０３は、受信信号をベースバンド信号に周波数変換して、ベースバンド信号処理部１０４に出力する。
【０１１１】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの呼処理（設定、解放など）、無線基地局１０の状態管理、無線リソースの管理などを行う。
【０１１２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して他の無線基地局１０と信号を送受信（バックホールシグナリング）してもよい。
【０１１３】
なお、送受信部１０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ１０１は、例えばアレーアンテナにより構成することができる。また、送受信部１０３は、シングルＢＦ、マルチＢＦを適用できるように構成されている。
【０１１４】
送受信部１０３は、送信ビームを用いて信号を送信してもよいし、受信ビームを用いて信号を受信してもよい。送受信部１０３は、制御部３０１によって決定された所定のビームを用いて信号を送信及び／又は受信してもよい。
【０１１５】
また、送受信部１０３は、ユーザ端末２０に対して下り（ＤＬ）信号（ＤＬデータ信号（下り共有チャネル）、ＤＬ制御信号（下り制御チャネル）、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１１６】
また、送受信部１０３は、下り制御チャネルを用いて、ユーザ端末２０に対するＤＣＩを送信する。また、送受信部１０３は、下り共有チャネルを用いて、ＭＡＣ制御要素（ＭＡＣ  ＣＥ）を送信する。また、送受信部１０３は、下り共有チャネル及び／又は下り制御チャネル（ＣＯＲＥＳＥＴ）のＱＣＬに関する情報（ＱＣＬ情報）（又は、当該ＱＣＬ情報を示す（含む）ＴＣＩ状態）を送信してもよい。
【０１１７】
図９は、本実施の形態に係る無線基地局の機能構成の一例を示す図である。なお、本例では、本実施の形態における特徴部分の機能ブロックを主に示しており、無線基地局１０は、無線通信に必要な他の機能ブロックも有すると想定されてもよい。
【０１１８】
ベースバンド信号処理部１０４は、制御部（スケジューラ）３０１と、送信信号生成部３０２と、マッピング部３０３と、受信信号処理部３０４と、測定部３０５と、を少なくとも備えている。なお、これらの構成は、無線基地局１０に含まれていればよく、一部又は全部の構成がベースバンド信号処理部１０４に含まれなくてもよい。
【０１１９】
制御部（スケジューラ）３０１は、無線基地局１０全体の制御を実施する。制御部３０１は、本開示に係る技術分野での共通認識に基づいて説明されるコントローラ、制御回路又は制御装置から構成することができる。
【０１２０】
制御部３０１は、例えば、送信信号生成部３０２における信号の生成、マッピング部３０３における信号の割り当てなどを制御する。また、制御部３０１は、受信信号処理部３０４における信号の受信処理、測定部３０５における信号の測定などを制御する。
【０１２１】
制御部３０１は、システム情報、下りデータ信号（例えば、ＰＤＳＣＨで送信される信号）、下り制御信号（例えば、ＰＤＣＣＨ及び／又はＥＰＤＣＣＨで送信される信号。送達確認情報など）のスケジューリング（例えば、リソース割り当て）を制御する。また、制御部３０１は、上りデータ信号に対する再送制御の要否を判定した結果などに基づいて、下り制御信号、下りデータ信号などの生成を制御する。
【０１２２】
制御部３０１は、同期信号（例えば、ＰＳＳ／ＳＳＳ）、下り参照信号（例えば、ＣＲＳ、ＣＳＩ−ＲＳ、ＤＭＲＳ）などのスケジューリングの制御を行う。
【０１２３】
制御部３０１は、ベースバンド信号処理部１０４によるデジタルＢＦ（例えば、プリコーディング）及び／又は送受信部１０３によるアナログＢＦ（例えば、位相回転）を用いて、送信ビーム及び／又は受信ビームを形成する制御を行ってもよい。
【０１２４】
制御部３０１は、ユーザ端末２０に対するキャリア、ＢＷＰ、ＣＯＲＥＳＥＴの少なくとも一つの設定（configure）を制御してもよい。また、制御部３０１は、ユーザ端末２０に対するＣＯＲＥＳＥＴあたり一以上のＴＣＩ状態の設定（configure）を制御してもよい。
【０１２５】
また、制御部３０１は、複数の信号間における疑似コロケーション（ＱＣＬ）の関係を制御し、ＱＣＬに関する情報（ＴＣＩ状態）の設定、生成、送信の少なくとも一つを制御してもよい。具体的には、制御部３０１は、下り制御チャネル（ＰＤＣＣＨ又はＣＯＲＥＳＥＴ）と下り参照信号との間におけるＱＣＬ関係を制御してもよい。また、制御部３０１は、ＣＯＲＥＳＥＴ内の所定のリソース単位に対する下り制御チャネルのマッピング、当該下り制御チャネルの送信を制御してもよい。
【０１２６】
また、制御部３０１は、一以上の制御リソースセット（ＣＯＲＥＳＥＴ）にそれぞれ対応する一以上のフィールドを含むＭＡＣ制御要素（ＭＡＣ  ＣＥ）の生成及び送信の少なくとも一つを制御してもよい（第１−第３の態様）。
【０１２７】
また、制御部３０１は、ＭＡＣ  ＣＥに含まれる上記フィールドの数を、ユーザ端末２０に対して設定された一以上の部分帯域（ＢＷＰ）内のＣＯＲＥＳＥＴの総数、又は、前記設定された一以上のＢＷＰのうちでアクティブ化されたＢＷＰ内のＣＯＲＥＳＥＴの総数に基づいて制御してもよい（第１の態様）。
【０１２８】
また、上記ＭＡＣ  ＣＥがどのＣＯＲＥＳＥＴのＴＣＩ状態がＭＡＣ  ＣＥ内で指定されるかを示す特定のフィールドを含む場合、制御部３０１は、ＭＡＣ  ＣＥ内の前記フィールドの数を、前記特定のフィールドが示すＣＯＲＥＳＥＴの数に基づいて制御してもよい（第２の態様）。
【０１２９】
また、上記ＭＡＣ  ＣＥがどのＢＷＰに関連付けられるＣＯＲＥＳＥＴのＴＣＩ状態がＭＡＣ  ＣＥ内で指定されるかを示す特定のフィールドを含む場合、制御部３０１は、ＭＡＣ  ＣＥ内の前記フィールドの数を、前記特定のフィールドが示すＢＷＰに関連付けられるＣＯＲＥＳＥＴの数に基づいて制御してもよい（第３の態様）。
【０１３０】
送信信号生成部３０２は、制御部３０１からの指示に基づいて、下り信号（下り制御信号、下りデータ信号、下り参照信号など）を生成して、マッピング部３０３に出力する。送信信号生成部３０２は、本開示に係る技術分野での共通認識に基づいて説明される信号生成器、信号生成回路又は信号生成装置から構成することができる。
【０１３１】
送信信号生成部３０２は、例えば、制御部３０１からの指示に基づいて、下りデータの割り当て情報を通知するＤＬアサインメント及び／又は上りデータの割り当て情報を通知するＵＬグラントを生成する。ＤＬアサインメント及びＵＬグラントは、いずれもＤＣＩであり、ＤＣＩフォーマットに従う。また、下りデータ信号には、各ユーザ端末２０からのチャネル状態情報（ＣＳＩ：Channel  State  Information）などに基づいて決定された符号化率、変調方式などに従って符号化処理、変調処理などが行われる。
【０１３２】
マッピング部３０３は、制御部３０１からの指示に基づいて、送信信号生成部３０２で生成された下り信号を、所定の無線リソースにマッピングして、送受信部１０３に出力する。マッピング部３０３は、本開示に係る技術分野での共通認識に基づいて説明されるマッパー、マッピング回路又はマッピング装置から構成することができる。
【０１３３】
受信信号処理部３０４は、送受信部１０３から入力された受信信号に対して、受信処理（例えば、デマッピング、復調、復号など）を行う。ここで、受信信号は、例えば、ユーザ端末２０から送信される上り信号（上り制御信号、上りデータ信号、上り参照信号など）である。受信信号処理部３０４は、本開示に係る技術分野での共通認識に基づいて説明される信号処理器、信号処理回路又は信号処理装置から構成することができる。
【０１３４】
受信信号処理部３０４は、受信処理によって復号された情報を制御部３０１に出力する。例えば、ＨＡＲＱ−ＡＣＫを含むＰＵＣＣＨを受信した場合、ＨＡＲＱ−ＡＣＫを制御部３０１に出力する。また、受信信号処理部３０４は、受信信号及び／又は受信処理後の信号を、測定部３０５に出力する。
【０１３５】
測定部３０５は、受信した信号に関する測定を実施する。測定部３０５は、本開示に係る技術分野での共通認識に基づいて説明される測定器、測定回路又は測定装置から構成することができる。
【０１３６】
例えば、測定部３０５は、受信した信号に基づいて、ＲＲＭ（Radio  Resource  Management）測定、ＣＳＩ（Channel  State  Information）測定などを行ってもよい。測定部３０５は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部３０１に出力されてもよい。
【０１３７】
＜ユーザ端末＞
図１０は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。なお、送受信アンテナ２０１、アンプ部２０２、送受信部２０３は、それぞれ１つ以上を含むように構成されればよい。
【０１３８】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本開示に係る技術分野での共通認識に基づいて説明されるトランスミッター／レシーバー、送受信回路又は送受信装置から構成することができる。なお、送受信部２０３は、一体の送受信部として構成されてもよいし、送信部及び受信部から構成されてもよい。
【０１３９】
ベースバンド信号処理部２０４は、入力されたベースバンド信号に対して、ＦＦＴ処理、誤り訂正復号、再送制御の受信処理などを行う。下りリンクのユーザデータは、アプリケーション部２０５に転送される。アプリケーション部２０５は、物理レイヤ及びＭＡＣレイヤより上位のレイヤに関する処理などを行う。また、下りリンクのデータのうち、ブロードキャスト情報もアプリケーション部２０５に転送されてもよい。
【０１４０】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）、チャネル符号化、プリコーディング、離散フーリエ変換（ＤＦＴ：Discrete  Fourier  Transform）処理、ＩＦＦＴ処理などが行われて送受信部２０３に転送される。
【０１４１】
送受信部２０３は、ベースバンド信号処理部２０４から出力されたベースバンド信号を無線周波数帯に変換して送信する。送受信部２０３で周波数変換された無線周波数信号は、アンプ部２０２によって増幅され、送受信アンテナ２０１から送信される。
【０１４２】
なお、送受信部２０３は、アナログビームフォーミングを実施するアナログビームフォーミング部をさらに有してもよい。アナログビームフォーミング部は、本発明に係る技術分野での共通認識に基づいて説明されるアナログビームフォーミング回路（例えば、位相シフタ、位相シフト回路）又はアナログビームフォーミング装置（例えば、位相シフト器）から構成することができる。また、送受信アンテナ２０１は、例えばアレーアンテナにより構成することができる。また、送受信部２０３は、シングルＢＦ、マルチＢＦを適用できるように構成されている。
【０１４３】
送受信部２０３は、送信ビームを用いて信号を送信してもよいし、受信ビームを用いて信号を受信してもよい。送受信部２０３は、制御部４０１によって決定された所定のビームを用いて信号を送信及び／又は受信してもよい。
【０１４４】
また、送受信部２０３は、無線基地局１０から下り（ＤＬ）信号（ＤＬデータ信号（下り共有チャネル）、ＤＬ制御信号（下り制御チャネル）、ＤＬ参照信号の少なくとも一つを含む）を受信し、、無線基地局１０に対して上り（ＵＬ）信号（ＵＬデータ信号、ＵＬ制御信号、ＵＬ参照信号の少なくとも一つを含む）を送信する。
【０１４５】
また、送受信部２０３は、下り制御チャネルを用いて、ユーザ端末２０に対するＤＣＩを受信する。また、送受信部２０３は、下り共有チャネルを用いて、ＭＡＣ制御要素（ＭＡＣ  ＣＥ）を受信する。また、送受信部２０３は、下り共有チャネル及び／又は下り制御チャネル（ＣＯＲＥＳＥＴ）のＱＣＬに関する情報（ＱＣＬ情報）（又は、当該ＱＣＬ情報を示す（含む）ＴＣＩ状態）を受信してもよい。
【０１４６】
図１１は、本実施の形態に係るユーザ端末の機能構成の一例を示す図である。なお、本例においては、本実施の形態における特徴部分の機能ブロックを主に示しており、ユーザ端末２０は、無線通信に必要な他の機能ブロックも有すると想定されてもよい。
【０１４７】
ユーザ端末２０が有するベースバンド信号処理部２０４は、制御部４０１と、送信信号生成部４０２と、マッピング部４０３と、受信信号処理部４０４と、測定部４０５と、を少なくとも備えている。なお、これらの構成は、ユーザ端末２０に含まれていればよく、一部又は全部の構成がベースバンド信号処理部２０４に含まれなくてもよい。
【０１４８】
制御部４０１は、ユーザ端末２０全体の制御を実施する。制御部４０１は、本開示に係る技術分野での共通認識に基づいて説明されるコントローラ、制御回路又は制御装置から構成することができる。
【０１４９】
制御部４０１は、例えば、送信信号生成部４０２における信号の生成、マッピング部４０３における信号の割り当てなどを制御する。また、制御部４０１は、受信信号処理部４０４における信号の受信処理、測定部４０５における信号の測定などを制御する。
【０１５０】
制御部４０１は、無線基地局１０から送信された下り制御信号及び下りデータ信号を、受信信号処理部４０４から取得する。制御部４０１は、下り制御信号及び／又は下りデータ信号に対する再送制御の要否を判定した結果などに基づいて、上り制御信号及び／又は上りデータ信号の生成を制御する。
【０１５１】
制御部４０１は、ベースバンド信号処理部２０４によるデジタルＢＦ（例えば、プリコーディング）及び／又は送受信部２０３によるアナログＢＦ（例えば、位相回転）を用いて、送信ビーム及び／又は受信ビームを形成する制御を行ってもよい。
【０１５２】
また、制御部４０１は、複数の信号間における疑似コロケーション（ＱＣＬ）の関係を想定し、ＱＣＬに関する情報（ＴＣＩ状態）に基づいて信号の受信処理を制御してもよい。具体的には、制御部４０１は、下り制御チャネル（ＰＤＣＣＨ又はＣＯＲＥＳＥＴ）と下り参照信号との間におけるＱＣＬ関係を想定し、ＱＣＬに関する情報（ＴＣＩ状態）に基づいてＰＤＣＣＨの受信処理を制御してもよい。
【０１５３】
また、制御部４０１は、一以上の制御リソースセット（ＣＯＲＥＳＥＴ）にそれぞれ対応する一以上のフィールドを含むＭＡＣ制御要素（ＭＡＣ  ＣＥ）の受信を制御してもよい（第１−第３の態様）。
【０１５４】
また、制御部４０１は、ＭＡＣ  ＣＥに含まれる上記フィールドの数を、ユーザ端末２０に対して設定された一以上の部分帯域（ＢＷＰ）内のＣＯＲＥＳＥＴの総数、又は、前記設定された一以上のＢＷＰのうちでアクティブ化されたＢＷＰ内のＣＯＲＥＳＥＴの総数に基づいて制御してもよい（第１の態様）。
【０１５５】
また、上記ＭＡＣ  ＣＥがどのＣＯＲＥＳＥＴのＴＣＩ状態がＭＡＣ  ＣＥ内で指定されるかを示す特定のフィールドを含む場合、制御部４０１は、ＭＡＣ  ＣＥ内の前記フィールドの数を、前記特定のフィールドが示すＣＯＲＥＳＥＴの数に基づいて制御してもよい（第２の態様）。
【０１５６】
また、上記ＭＡＣ  ＣＥがどのＢＷＰに関連付けられるＣＯＲＥＳＥＴのＴＣＩ状態がＭＡＣ  ＣＥ内で指定されるかを示す特定のフィールドを含む場合、制御部４０１は、ＭＡＣ  ＣＥ内の前記フィールドの数を、前記特定のフィールドが示すＢＷＰに関連付けられるＣＯＲＥＳＥＴの数に基づいて制御してもよい（第３の態様）。
【０１５７】
送信信号生成部４０２は、制御部４０１からの指示に基づいて、上り信号（上り制御信号、上りデータ信号、上り参照信号など）を生成して、マッピング部４０３に出力する。送信信号生成部４０２は、本開示に係る技術分野での共通認識に基づいて説明される信号生成器、信号生成回路又は信号生成装置から構成することができる。
【０１５８】
送信信号生成部４０２は、例えば、制御部４０１からの指示に基づいて、送達確認情報、チャネル状態情報（ＣＳＩ）などに関する上り制御信号を生成する。また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。
【０１５９】
マッピング部４０３は、制御部４０１からの指示に基づいて、送信信号生成部４０２で生成された上り信号を無線リソースにマッピングして、送受信部２０３へ出力する。マッピング部４０３は、本開示に係る技術分野での共通認識に基づいて説明されるマッパー、マッピング回路又はマッピング装置から構成することができる。
【０１６０】
受信信号処理部４０４は、送受信部２０３から入力された受信信号に対して、受信処理（例えば、デマッピング、復調、復号など）を行う。ここで、受信信号は、例えば、無線基地局１０から送信される下り信号（下り制御信号、下りデータ信号、下り参照信号など）である。受信信号処理部４０４は、本開示に係る技術分野での共通認識に基づいて説明される信号処理器、信号処理回路又は信号処理装置から構成することができる。また、受信信号処理部４０４は、本開示に係る受信部を構成することができる。
【０１６１】
受信信号処理部４０４は、受信処理によって復号された情報を制御部４０１に出力する。受信信号処理部４０４は、例えば、ブロードキャスト情報、システム情報、ＲＲＣシグナリング、ＤＣＩなどを、制御部４０１に出力する。また、受信信号処理部４０４は、受信信号及び／又は受信処理後の信号を、測定部４０５に出力する。
【０１６２】
測定部４０５は、受信した信号に関する測定を実施する。測定部４０５は、本開示に係る技術分野での共通認識に基づいて説明される測定器、測定回路又は測定装置から構成することができる。
【０１６３】
例えば、測定部４０５は、受信した信号に基づいて、ＲＲＭ測定、ＣＳＩ測定などを行ってもよい。測定部４０５は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部４０１に出力されてもよい。
【０１６４】
＜ハードウェア構成＞
なお、本実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０１６５】
例えば、本実施の形態における無線基地局、ユーザ端末などは、本実施の形態の各態様の処理を行うコンピュータとして機能してもよい。図１２は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１６６】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０１６７】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０１６８】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０１６９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０１７０】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の本実施の形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０１７１】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本実施の形態に係る無線通信方法を実施するために実行可能なプログラム（プログラムコード）、ソフトウェアモジュールなどを保存することができる。
【０１７２】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１７３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０１７４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１７５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１７６】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１７７】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１７８】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０１７９】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０１８０】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１８１】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１８２】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０１８３】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０１８４】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０１８５】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０１８６】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０１８７】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０１８８】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０１８９】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０１９０】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０１９１】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１９２】
また、情報、信号などは、上位レイヤから下位レイヤ、及び／又は下位レイヤから上位レイヤへ出力され得る。情報、信号などは、複数のネットワークノードを介して入出力されてもよい。
【０１９３】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０１９４】
情報の通知は、本明細書において説明した態様／本実施の形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０１９５】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０１９６】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０１９７】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０１９８】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０１９９】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２００】
本明細書において使用する「システム」及び「ネットワーク」という用語は、互換的に使用される。
【０２０１】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、フェムトセル、スモールセルなどの用語で呼ばれる場合もある。
【０２０２】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２０３】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２０４】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２０５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本開示の各態様／本実施の形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２０６】
同様に、本明細書におけるユーザ端末は、無線基地局で読み替えてもよい。この場合、上述のユーザ端末２０が有する機能を無線基地局１０が有する構成としてもよい。
【０２０７】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２０８】
本明細書において説明した各態様／本実施の形態は単独で用いてもよいし、組み合わせて用いてもよいし、実行に伴って切り替えて用いてもよい。また、本明細書で説明した各態様／本実施の形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２０９】
本明細書において説明した各態様／本実施の形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２１０】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２１１】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２１２】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２１３】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２１４】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２１５】
本明細書において、「ＡとＢが異なる」という用語は、「ＡとＢが互いに異なる」ことを意味してもよい。「離れる」、「結合される」などの用語も同様に解釈されてもよい。
【０２１６】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２１７】
以上、本発明について詳細に説明したが、当業者にとっては、本発明が本明細書中に説明した本実施の形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019138527.tif 000003
【図２】
2019138527.tif 000004
【図３】
2019138527.tif 000005
【図４】
2019138527.tif 000006
【図５】
2019138527.tif 000007
【図６】
2019138527.tif 000008
【図７】
2019138527.tif 000009
【図８】
2019138527.tif 000010
【図９】
2019138527.tif 000011
【図１０】
2019138527.tif 000012
【図１１】
2019138527.tif 000013
【図１２】
2019138527.tif 000014
【国際調査報告】
2019138527.tif 000015
2019138527.tif 000016